(57)【特許請求の範囲】
【請求項１】
２つのマンホール間の地盤または路盤の内部に埋設されたパイプ付近の施工作業における近接警報システムにおいて、該マンホール近くに設置される低周波発振装置と、該低周波発振装置から導出されると共に上記パイプ内に配線され、終端部が別のパイプに接続される信号線と、該別のパイプの他端側と上記低周波発振装置との間に接続されるアース線と、上記信号線から発信される電磁波を検知して警報信号を発信すると共に施工機械の刃先・カッターなどの機材が又は矢板などの資材が適宜箇所に取り付けられた警報センサーと、該警報センサーから発信される警報信号に基づいて上記機材または資材による施工作業を停止させる手段と、から構成されることを特徴とする施工作業における近接警報システム。
【請求項２】
２つのマンホール間の地盤または路盤の内部に埋設されたパイプ付近の施工作業における近接警報システムにおいて、該マンホール近くに設置される低周波発振装置と、該低周波発振装置から導出されると共に上記パイプ内に配線される信号線と、該信号線の終端部に接続されると共に地中に直接アースするアース棒と、上記低周波発振装置に接続されると共に地中に直接アースする別のアース棒と、上記信号線から発信される電磁波を検知して警報信号を発信すると共に施工機械の刃先・カッターなどの機材が又は矢板などの資材が適宜箇所に取り付けられた警報センサーと、該警報センサーから発信される警報信号に基づいて上記バケットによる掘削作業を停止させる手段と、から構成されることを特徴とする施工作業における近接警報システム。
【発明の詳細な説明】
【０００１】
【産業上の利用分野】
本発明は、２つのマンホール間の地盤または路盤の内部に埋設されたパイプ付近の施工作業における近接警報システムに関する。
【０００２】
【従来の技術】
従来、例えば道路等の掘削作業を行う場合には、作業現場付近の埋設物管理台帳（プラレコ）をチェックしたり、事前に埋設管などの探査をしたり、試掘を行うのが一般的であった。
【０００３】
しかしながら、上記従来の方法では、現場の埋設状況がプラレコと一致していなかったり、バックホー等の掘削機械のオペレータと刃先監視員の合図ミスなどにより、埋設物の損傷事故が後を絶たないのが実情であった。また、事前の探査や試掘は手間やコストがかかる等の問題点があった。
【０００４】
【発明が解決しようとする課題】
本発明は、上記従来の問題点を解決するためになされたもので、その目的とするところは、施工機械の刃先・カッターなどの機材が又は矢板などの資材が埋設物に接近するのを容易かつ確実に検知し、埋設物の破損事故を未然に防止することができる地盤等の施工作業における近接警報システムを提供することにある。
【０００５】
【課題を解決するための手段】
本発明の施工作業における近接警報システムは、２つのマンホール間の地盤または路盤の内部に埋設されたパイプ付近の施工作業における近接警報システムにおいて、該マンホール近くに設置される低周波発振装置と、該低周波発振装置から導出されると共に上記パイプ内に配線され、終端部が別のパイプに接続される信号線と、該別のパイプの他端側と上記低周波発振装置との間に接続されるアース線と、上記信号線から発信される電磁波を検知して警報信号を発信すると共に施工機械の刃先・カッターなどの機材が又は矢板などの資材が適宜箇所に取り付けられた警報センサーと、該警報センサーから発信される警報信号に基づいて上記機材または資材による施工作業を停止させる手段と、から構成されることを特徴とする。また、２つのマンホール間の地盤または路盤の内部に埋設されたパイプ付近の施工作業における近接警報システムにおいて、該マンホール近くに設置される低周波発振装置と、該低周波発振装置から導出されると共に上記パイプ内に配線される信号線と、該信号線の終端部に接続されると共に地中に直接アースするアース棒と、上記低周波発振装置に接続されると共に地中に直接アースする別のアース棒と、上記信号線から発信される電磁波を検知して警報信号を発信すると共に施工機械の刃先・カッターなどの機材が又は矢板などの資材が適宜箇所に取り付けられた警報センサーと、該警報センサーから発信される警報信号に基づいて上記バケットによる掘削作業を停止させる手段と、から構成されることを特徴とする。
【０００６】
【発明の実施の形態】
以下、本発明の一実施例について図面を参照しながら説明する。図１において、１は低周波発振装置であって、これから導出された信号線２に低周波（例えば、２３ＫＨｚ）の信号を流し、該信号線２から電磁波Ｗ１を発信するようになっている。２ａは信号線２を巻き取るためのドラムである。
【０００７】
上記低周波発振装置１は上記マンホールＭの近くに設置される。上記信号線２は、掘削現場の両側に埋設されているマンホールＭの間のパイプのうちの空管路Ｐ内に配線され、その終端部２′は別のパイプＰ′に接続されている。３はアース線であって、上記信号線２の終端部２′が接続されている上記パイプＰ′の他端側に接続されている。上記パイプは、例えば鋼管、ヒューム管、塩ビ管などいずれでもよい。
【０００８】
なお、図１において仮想線で示すように、上記信号線２の終端部２′をアース棒Ｒ１に接続して地中に直接アースすると共に、上記アース線３もアース棒Ｒ２に接続して地中に直接アースするようにしてもよい。
【０００９】
４は警報センサーであって、上記信号線２から発信された電磁波Ｗ１を受信すると共に、所定以上の強さの電磁波Ｗ１を受信したとき、高周波（例えば、３１０ＭＨｚ）の警報電波Ｗ２を発射するようになっている。この警報センサー４は、ユンボやバックホー等の掘削機械ＫのバケットＢの適宜箇所に取付られている。
【００１０】
５は警報受信機であって、上記警報センサー４から発射された警報電波Ｗ２を受信し、警報音を発したり注意放送を行うようになっている。該警報受信機５は掘削機械Ｋの運転席付近に設置されている。また、上記警報センサー４から発射された警報電波Ｗ２により、掘削機械Ｋのエンジンや、バケットＢの油圧を自動停止させるようになっている。
【００１１】
６はソーラパネルであって、太陽光の照射中は上記低周波発振装置１の電源電池の消耗を防止することができる。該ソーラパネル６は、必要に応じて使用する。
【００１２】
本実施例の近接警報システムは以上のように構成されているので、上記低周波発振装置１により信号線２に低周波信号を流すと、該信号線２から低周波の電磁波Ｗ１が発信される。
【００１３】
上記低周波の電磁波Ｗ１は、掘削作業中の掘削機械ＫのバケットＢに取り付けられている警報センサー４により受信される。すなわち、上記バケットＢが空管路Ｐに近づく（例えば、５０ｃｍ以内）と、警報センサー４が所定以上の強さの電磁波Ｗ１を検知する。この検知信号に基づいて、警報センサー４から高周波の警報電波Ｗ２が発射される。
【００１４】
警報電波Ｗ２が発射されると、上記掘削機械Ｋの運転席に設置された警報受信機５がこの警報電波Ｗ２を受信し、警報音を発したり、注意放送を行ってオペレーターに警報を知らせる。
【００１５】
上記警報時には、上記警報受信機５から接点信号が出力され、掘削機械ＫのエンジンやバケットＢの油圧回路を自動停止させる。なお、オペレターが警報により掘削操作を停止するようになっている場合には、上記自動停止装置は省略することもできる。
【００１６】
上記実施例では、ユンボやバックホー等の掘削機械Ｋによる掘削作業について説明したが、本発明のシステムは、上記掘削作業に限定するものではなく、くい打ち作業や舗装カッター作業などでもよく、要するに、地盤や路盤の内部に刃先・カッターなどの機材や矢板などの資材が進入するような施工作業であればいずれでもよい。
【００１７】
また、上記実施例では、信号線２を空管Ｐ内に配線するようになっているが、本発明のシステムはこれに限定するものではなく、信号線２が配線できる構造の埋設物であればいずれでもよい。さらに、上記アース線３は地盤にしてもよい。なお、上記警報センサーから上記警報受信機に有線により信号を送るようにしてもよい。
【００１８】
【発明の効果】
本発明は、低周波発振装置と、地盤や路盤の内部に埋設されている埋設物内又はその付近に配線されて、上記低周波発振装置により発振される低周波の電磁波を発信する信号線と、該信号線から発信される電磁波を検知して警報信号を発信する警報センサーと、該警報センサーから発信される警報信号に基づいて施行作業を停止させる手段と、から構成されるので、掘削機械等の刃先等が埋設物に接近するのを容易かつ確実に検知し、埋設物の破損事故を未然に防止することができる。
【図面の簡単な説明】
【図１】本発明の近接警報システムの説明図である。
【符号の説明】
１  低周波発振装置
２  信号線
２′終端部
２ａ  ドラム
３  アース線
４  警報センサー
５  警報受信機
６  ソーラパネル
Ｂ  バケット
Ｋ  掘削機械
Ｍ  マンホール
Ｐ  空管路
Ｐ′パイプ
Ｒ１、Ｒ２  アース棒
Ｗ１  電磁波
Ｗ２  警報電波
【図１】
0004072277.tif 000002